【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
物品を電子レンジ内で加熱する際に使用するためのサセプタアセンブリであって、
電気的損失層を含む略平坦なサセプタと、
前記サセプタに機械的に接続された少なくとも１枚の羽根であって、前記羽根の少なくとも一部分が導電性であり、前記羽根の導電性部分が既定の幅寸法および角を有し、前記導電性部分の角が幅寸法の半分以下の半径で丸められている羽根とを含み、
前記羽根の導電性部分が前記平坦なサセプタの電気的損失層から少なくとも既定の近接距離において配設されており、
前記サセプタアセンブリが未装填の電子レンジにおいて用いられるときに前記導電性部分の近傍におけるアーク放電の発生が防止されるサセプタアセンブリ。
【請求項２】
物品を電子レンジ内で加熱する際に使用するためのサセプタアセンブリであって、
電気的損失層を含む略平坦なサセプタと、
前記サセプタに機械的に接続された少なくとも１枚の羽根であって、前記羽根の少なくとも一部分が導電性であり、前記導電性部分が非導電性材料で覆われている羽根とを含み、
前記羽根の導電性部分が前記平坦なサセプタの電気的損失層から少なくとも既定の近接距離において配設されており、
前記サセプタアセンブリが未装填の電子レンジにおいて用いられるときに前記導電性部分の近傍におけるアーク放電の発生が防止されるサセプタアセンブリ。
【請求項３】
物品を電子レンジ内で加熱する際に使用するためのサセプタアセンブリであって、
電気的損失層を含む略平坦なサセプタと、
前記サセプタに機械的に接続された少なくとも１枚の羽根であって、前記羽根の少なくとも一部分が導電性であり、前記羽根の導電性部分が０．１ミリメートル未満の厚さの金属フォイルを含むと共に、前記フォイルがその周縁に沿って少なくとも２倍の厚さに折られている羽根とを含み、
前記羽根の導電性部分が前記平坦なサセプタの電気的損失層から少なくとも既定の近接距離において配設されており、
前記サセプタアセンブリが未装填の電子レンジにおいて用いられるときに前記導電性部分の近傍におけるアーク放電の発生が防止されるサセプタアセンブリ。
【請求項４】
電子レンジにおいて使用するためのサセプタアセンブリであって、前記電子レンジが既定の波長を有する定常電磁波を発生するよう操作され、
幾何学的中心を有する略平坦なサセプタであって、電気的損失層を含む平坦なサセプタと、
各々がサセプタに機械的に接続された少なくとも６枚の羽根であって、各羽根が前記平坦なサセプタに対して実質的に直角であり、
各羽根の少なくとも一部分が導電性であり、
前記羽根の導電性部分が既定の幅寸法および角を有し、前記導電性部分の角が幅寸法の半分以下の半径で丸められている羽根と
を含み、
前記羽根の導電性部分が前記平坦なサセプタの電気的損失層から少なくとも既定の近接距離において配設されており、前記既定の近接距離が少なくとも波長の０．０２５倍であり、
前記サセプタアセンブリが未装填の電子レンジにおいて用いられるときに前記導電性部分の近傍におけるアーク放電の発生が防止されるサセプタアセンブリ。
【手続補正２】
【補正対象書類名】明細書
【補正対象項目名】０２１４
【補正方法】変更
【補正の内容】
【０２１４】
本発明の教示に利益を有する当業者は、これに改良を成し得る。このような改良は、添付の特許請求の範囲により定義される本発明の範囲内にあるとして解釈されるべきである。
また、好ましい態様として、本発明を次のように構成することもできる。
１．  物品を電子レンジ内で加熱する際に使用するためのサセプタアセンブリであって、
電気的損失層を含む略平坦なサセプタと、
前記サセプタに機械的に接続された少なくとも１枚の羽根であって、前記羽根の少なくとも一部分が導電性であり、前記羽根の導電性部分が既定の幅寸法および角を有し、前記導電性部分の角が幅寸法の半分以下の半径で丸められている羽根とを含み、
前記羽根の導電性部分が前記平坦なサセプタの電気的損失層から少なくとも既定の近接距離において配設されており、
前記サセプタアセンブリが未装填の電子レンジにおいて用いられるときに前記導電性部分の近傍におけるアーク放電の発生が防止されるサセプタアセンブリ。
２．  前記電子レンジが既定の波長を有する定常電磁波を発生するよう作動し、
前記既定の近接距離が前記波長の少なくとも０．０２５倍である、上記１に記載のサセプタアセンブリ。
３．  前記電子レンジが既定の波長を有する定常電磁波を発生するよう作動し、
前記既定の近接距離が前記波長の０．１倍以下である、上記１に記載のサセプタアセンブリ。
４．  前記電子レンジが既定の波長を有する定常電磁波を発生するよう作動し、
前記既定の近接距離が前記波長の０．０２５倍〜前記波長の０．１倍の範囲内にある、上記１に記載のサセプタアセンブリ。
５．  前記羽根の前記導電性部分が低導電性材料の前記縁取材によって囲まれている、上記１に記載のサセプタアセンブリ。
６．  前記電子レンジが既定の波長を有する定常電磁波を発生するよう作動し、前記縁取材が既定の幅寸法を有し、低導電性材料の前記縁取材の幅が、前記波長の０．０２５倍〜前記波長の０．１倍の範囲内にある、上記５に記載のサセプタアセンブリ。
７．  前記羽根の導電性部分が非導電性材料で被覆されている、上記１に記載のサセプタアセンブリ。
８．  前記非導電性被覆が、ポリイミドテープ、ポリアクリルスプレーコーティングおよびポリテトラフルオロエチレンスプレーコーティングからなる群から選択される、上記７に記載のサセプタアセンブリ。
９．  前記羽根の前記導電性部分が、厚さ０．１ミリメートル未満の金属箔を含み、前記箔が折り重ねられて、その外周に沿って厚さが少なくとも２倍とされている、上記１に記載のサセプタアセンブリ。
１０．  前記電子レンジが既定の波長を有する定常電磁波を発生するよう作動し、前記羽根の前記導電性部分が前記波長の約０．１〜約０．５倍の幅寸法を有する、上記１に記載のサセプタアセンブリ。
１１．  前記電子レンジが既定の波長を有する定常電磁波を発生するよう作動し、
各羽根の前記導電性部分が長さ寸法を有し、前記長さ寸法が、前記波長の約０．２５〜約２倍の範囲内である、上記１に記載のサセプタアセンブリ。
１２．  物品を電子レンジ内で加熱する際に使用するためのサセプタアセンブリであって、
電気的損失層を含む略平坦なサセプタと、
前記サセプタに機械的に接続された少なくとも１枚の羽根であって、前記羽根の少なくとも一部分が導電性であり、前記導電性部分が非導電性材料で覆われている羽根とを含み、
前記羽根の導電性部分が前記平坦なサセプタの電気的損失層から少なくとも既定の近接距離において配設されており、
前記サセプタアセンブリが未装填の電子レンジにおいて用いられるときに前記導電性部分の近傍におけるアーク放電の発生が防止されるサセプタアセンブリ。
１３．  前記電子レンジが既定の波長を有する定常電磁波を発生するよう作動し、
前記既定の近接距離が前記波長の少なくとも０．０２５倍である、上記１２に記載のサセプタアセンブリ。
１４．  前記電子レンジが既定の波長を有する定常電磁波を発生するよう作動し、
前記既定の近接距離が前記波長の０．１倍以下である、上記１２に記載のサセプタアセンブリ。
１５．  前記電子レンジが既定の波長を有する定常電磁波を発生するよう作動し、
前記既定の近接距離が、前記波長の０．０２５倍〜前記波長の０．１倍の範囲内にある、上記１２に記載のサセプタアセンブリ。
１６．  前記羽根の前記導電性部分が低導電性材料の縁取材によって囲まれている、上記１２に記載のサセプタアセンブリ。
１７．  前記電子レンジが既定の波長を有する定常電磁波を発生するよう作動し、前記縁取材が既定の幅寸法を有し、
低導電性材料の前記縁取材の前記幅が、前記波長の０．０２５倍〜前記波長の０．１倍の範囲内にある、上記１６に記載のサセプタアセンブリ。
１８．  前記非導電性被覆が、ポリイミドテープ、ポリアクリルスプレーコーティングおよびポリテトラフルオロエチレンスプレーコーティングからなる群から選択される、上記１２に記載のサセプタアセンブリ。
１９．  前記電子レンジが既定の波長を有する定常電磁波を発生するよう作動し、前記羽根の前記導電性部分が前記波長の約０．１〜約０．５倍の幅寸法を有する、上記１２に記載のサセプタアセンブリ。
２０．  前記電子レンジが既定の波長を有する定常電磁波を発生するよう作動し、
各羽根の前記導電性部分が長さ寸法を有し、前記長さ寸法が、前記波長の約０．２５〜約２倍の範囲内である、上記１２に記載のサセプタアセンブリ。
２１．  物品を電子レンジ内で加熱する際に使用するためのサセプタアセンブリであって、
電気的損失層を含む略平坦なサセプタと、
前記サセプタに機械的に接続された少なくとも１枚の羽根であって、前記羽根の少なくとも一部分が導電性であり、前記羽根の導電性部分が０．１ミリメートル未満の厚さの金属フォイルを含むと共に、前記フォイルがその周縁に沿って少なくとも２倍の厚さに折られている羽根とを含み、
前記羽根の導電性部分が前記平坦なサセプタの電気的損失層から少なくとも既定の近接距離において配設されており、
前記サセプタアセンブリが未装填の電子レンジにおいて用いられるときに前記導電性部分の近傍におけるアーク放電の発生が防止されるサセプタアセンブリ。
２２．  前記電子レンジが既定の波長を有する定常電磁波を発生するよう作動し、
前記既定の近接距離が前記波長の少なくとも０．０２５倍である、上記２１に記載のサセプタアセンブリ。
２３．  前記電子レンジが既定の波長を有する定常電磁波を発生するよう作動し、
前記既定の近接距離が前記波長の０．１倍以下である、上記２１に記載のサセプタアセンブリ。
２４．  前記電子レンジが既定の波長を有する定常電磁波を発生するよう作動し、
前記既定の近接距離が前記波長の０．０２５倍〜波長の０．１倍の範囲内にある、上記２１に記載のサセプタアセンブリ。
２５．  前記羽根の前記導電性部分が低導電性材料の縁取材によって囲まれている、上記２１に記載のサセプタアセンブリ。
２６．  前記電子レンジが既定の波長を有する定常電磁波を発生するよう作動し、前記縁取材が既定の幅寸法を有し、および
低導電性材料の前記縁取材の前記幅が、前記波長の０．０２５倍〜前記波長の０．１倍の範囲内にある、上記２５に記載のサセプタアセンブリ。
２７．  前記導電性部分が非導電性被覆で被覆されている、上記２１に記載のサセプタアセンブリ。
２８．  前記電子レンジが既定の波長を有する定常電磁波を発生するよう作動し、前記羽根の前記導電性部分が前記波長の約０．１〜約０．５倍の幅寸法を有する、上記２１に記載のサセプタアセンブリ。
２９．  前記電子レンジが既定の波長を有する定常電磁波を発生するよう作動し、
各羽根の前記導電性部分が長さ寸法を有し、およびこの長さ寸法が前記波長の約０．２５〜約２倍の範囲である、上記２１に記載のサセプタアセンブリ。
３０．  電子レンジにおいて使用するためのサセプタアセンブリであって、前記電子レンジが既定の波長を有する定常電磁波を発生するよう操作され、
幾何学的中心を有する略平坦なサセプタであって、電気的損失層を含む平坦なサセプタと、
各々がサセプタに機械的に接続された少なくとも６枚の羽根であって、各羽根が前記平坦なサセプタに対して実質的に直角であり、
各羽根の少なくとも一部分が導電性であり、
前記羽根の導電性部分が既定の幅寸法および角を有し、前記導電性部分の角が幅寸法の半分以下の半径で丸められている羽根と
を含み、
前記羽根の導電性部分が前記平坦なサセプタの電気的損失層から少なくとも既定の近接距離において配設されており、前記既定の近接距離が少なくとも波長の０．０２５倍であり、
前記サセプタアセンブリが未装填の電子レンジにおいて用いられるときに前記導電性部分の近傍におけるアーク放電の発生が防止されるサセプタアセンブリ。